(57)【要約】      （修正有）【課題】不正な解錠を抑制することが可能な、遊技機に用いられる解錠装置の提供。【解決手段】発信ＩＤと発信ＩＤに対応する応答ＩＤとを関連付けるコード表をそれぞれ有する電子鍵部および解錠部を具備する。電子鍵部および解錠部のいずれか一方は発信ＩＤを送信し、電子鍵部および解錠部の他方は発信ＩＤを受信し発信ＩＤに対応する応答ＩＤを送信し、電子鍵部および解錠部の一方は送信された応答ＩＤを受信し、受信した応答ＩＤと送信した発信ＩＤに対応する応答ＩＤとが一致した場合、解錠部は機械的な鍵を用いた解錠を可能とする。【選択図】図６
2008100014.tif 000002
【特許請求の範囲】
【請求項１】
発信情報と該発信情報に対応する応答情報とを関連付けるコード表をそれぞれ有する電子鍵部および解錠部であって、前記電子鍵部および前記解錠部のいずれか一方は前記発信情報を送信し、前記電子鍵部および前記解錠部の他方は前記発信情報を受信し前記発信情報に対応する応答情報を送信し、前記電子鍵部および前記解錠部の前記一方は送信された前記応答情報を受信し、受信した前記応答情報と送信した前記発信情報に対応する応答情報とが一致した場合、前記解錠部は機械的な鍵を用いた解錠を可能とする前記電子鍵部および前記解錠部を具備し遊技機に用いられる解錠装置。
【請求項２】
前記解錠部が解錠可能とした場合、次に解錠する際に使用する発信情報に関する記憶情報を記憶する記憶部を具備し、
前記電子鍵部および前記解錠部の前記一方は、次に解錠する際に前記記憶部に記憶した前記記憶情報に対応する発信情報を送信することを特徴とする請求項１記載の解錠装置。
【請求項３】
発信情報と該発信情報に対応する応答情報とを関連付けるコード表をそれぞれ有する電子鍵部および解錠部であって、前記電子鍵部および前記解錠部のいずれか一方は前記発信情報を送信し、前記電子鍵部および前記解錠部の他方は前記発信情報を受信し前記発信情報に対応する応答情報を送信し、前記電子鍵部および前記解錠部の前記一方は送信された前記応答情報を受信し、受信した前記応答情報と送信した前記発信情報に対応する応答情報とが一致した場合、前記解錠部は解錠可能とする前記電子鍵部および前記解錠部と、
前記解錠部が解錠可能とした場合、次に解錠する際に使用する発信情報に関する記憶情報を記憶する記憶部と、を具備し、
前記電子鍵部および前記解錠部の前記一方は、次に解錠する際に前記記憶部に記憶した前記記憶情報に対応する発信情報を送信することを特徴とする解錠装置。
【請求項４】
前記電子鍵部および前記解錠部の前記一方は前記電子鍵部であり、前記電子鍵部および前記解錠部の前記他方は前記解錠部であることを特徴とする請求項２または３のいずれか一項記載の解錠装置。
【請求項５】
前記電子鍵部は、受信した前記応答情報と送信した前記発信情報に対応する応答情報とが一致した場合、前記解錠部に解錠信号を送信し、
前記解錠部は、前記解錠信号に基づき、解錠可能とすることを特徴とする請求項４記載の解錠装置。
【請求項６】
前記解錠部は機械的な鍵を用いた解錠を可能とすることを特徴とする請求項３に記載の解錠装置。
【請求項７】
前記電子鍵部は機械的な鍵と一体に形成されていることを特徴とする請求項１または６記載の解錠装置。
【請求項８】
機械的に解錠するために前記機械的な鍵を前記解錠部に配置した状態において、前記発信情報または前記応答情報を送受信する前記電子鍵部の送受信部および前記解錠部の送受信部が対向することを特徴とする請求項７記載の解錠装置。
【請求項９】
前記発信情報および前記応答情報の送信は赤外線を用いることを特徴とする請求項１から８のいずれか一項記載の解除装置。
【発明の詳細な説明】
【技術分野】
【０００１】
本発明は、解錠装置に関し、特に、電子鍵部と解錠部とを有する解錠装置に関する。
【背景技術】
【０００２】
解錠装置は高いセキュリティが求められている。例えば、遊技機の枠扉に用いられる解錠装置は、不正防止の観点から特に高いセキュリティが求められる。遊技機の枠扉の解錠方法としては、機械的な鍵を用いる方法、磁気カードを用いる方法がある。さらに、特許文献１には、赤外線リモコンと遊戯機との間でコード化された信号を送受信し枠扉を解錠する技術が開示されている。
【特許文献１】特開平７−３１７４２号公報
【発明の開示】
【発明が解決しようとする課題】
【０００３】
例えば、遊戯機の枠扉に機械的な鍵を用いる場合、錠を機械的に開けることが可能である。磁気カードを用いる場合、磁気カードのコードを読み取ることにより、解錠が可能となってしまう。赤外線でコード化された信号を送受信する場合、赤外線のコードを読み取ることにより解錠が可能となってしまう。このように、従来の技術では、遊技機の枠扉の解錠を行うことが容易であり、遊技機の枠扉を開ける不正行為を有効に防止することができなかった。また、特許文献１の技術では、不正防止のためコードの変更を行うことはできるが、コードライタを用いコードの変更を行っている。そのため、コード変更する際に作業が必要となってしまう。
【０００４】
本発明は、上記課題に鑑みなされたものであり、不正な解錠を抑制することが可能な解錠装置を提供することを目的とする。
【課題を解決するための手段】
【０００５】
本発明は、発信情報と該発信情報に対応する応答情報とを関連付けるコード表をそれぞれ有する電子鍵部および解錠部であって、前記電子鍵部および前記解錠部のいずれか一方は前記発信情報を送信し、前記電子鍵部および前記解錠部の他方は前記発信情報を受信し前記発信情報に対応する応答情報を送信し、前記電子鍵部および前記解錠部の前記一方は送信された前記応答情報を受信し、受信した前記応答情報と送信した前記発信情報に対応する応答情報とが一致した場合、前記解錠部は機械的な鍵を用いた解錠を可能とする前記電子鍵部および前記解錠部を具備し遊技機に用いられる解錠装置である。本発明によれば、受信した応答情報と送信した発信情報に対応する応答情報とが一致した場合でなければ、機械的な鍵を用いた解錠が可能とならない。よって、遊戯本体の電源が遮断されている状態では機械的に解錠することはできない。さらに、電子的な情報が一致した場合に機械的な解錠を可能とする。よって、より高セキュリィティな遊戯機用解錠装置を提供することができる。
【０００６】
上記構成において、前記解錠部が解錠可能とした場合、次に解錠する際に使用する発信情報に関する情報を記憶する記憶部を具備し、前記電子鍵部および前記解錠部の前記一方は、次に解錠する際に前記記憶部に記憶した前記記憶情報に対応する発信情報を送信する構成とすることができる。この構成によれば、次に解錠する場合、異なる発信情報を用いるため、発信情報を読み取られたとしても不正が行われることを抑制することができる。また、遊技場においては、多くの遊技機を有しているため、同じ鍵を用いて多数の遊技機の枠扉を開けることとなる。その際も発信情報が毎回異なるためより高セキュリティを実現することができる。
【０００７】
本発明は、発信情報と該発信情報に対応する応答情報とを関連付けるコード表をそれぞれ有する電子鍵部および解錠部であって、前記電子鍵部および前記解錠部のいずれか一方は前記発信情報を送信し、前記電子鍵部および前記解錠部の他方は前記発信情報を受信し前記発信情報に対応する応答情報を送信し、前記電子鍵部および前記解錠部の前記一方は送信された前記応答情報を受信し、受信した前記応答情報と送信した前記発信情報に対応する応答情報とが一致した場合、前記解錠部は解錠可能とする前記電子鍵部および前記解錠部と、前記解錠部が解錠可能とした場合、次に解錠する際に使用する発信情報に関する記憶情報を記憶する記憶部と、を具備し、前記電子鍵部および前記解錠部の前記一方は、次に解錠する際に前記記憶部に記憶した前記記憶情報に対応する発信情報を送信することを特徴とする解錠装置である。本発明によれば、電子的な情報が一致した場合に解錠を可能とする。また、次に解錠する場合、異なる発信情報を用いるため、発信情報を読み取られたとしても不正な解錠を抑制することができる。
【０００８】
上記構成において、前記電子鍵部および前記解錠部の前記一方は前記電子鍵部であり、前記電子鍵部および前記解錠部の前記他方は前記解錠部である構成とすることができる。この構成によれば、電子鍵部の電源の容量が小さい場合も電子鍵部の電源の消費を抑制することができる。
【０００９】
上記構成において、前記電子鍵部は、受信した前記応答情報と送信した前記発信情報に対応する応答情報とが一致した場合、前記解錠部に解錠信号を送信し、前記解錠部は、前記解錠信号に基づき、解錠可能とする構成とすることができる。この構成によれば、電子鍵部が受信した応答情報に対応し、解錠部が解錠可能とすることができる。
【００１０】
上記構成において、前記解錠部は機械的な鍵を用いた解錠を可能とする構成とすることができる。
【００１１】
上記構成において、前記電子鍵部は機械的な鍵と一体に形成されている構成とすることができる。この構成によれば、電子鍵部と鍵部とを個々に管理する必要がない。
【００１２】
上記構成において、機械的に解錠するために前記機械的な鍵を前記解錠部に配置した状態において、前記発信情報または前記応答情報を送受信する前記電子鍵部の送受信部および前記解錠部の送受信部が対向する構成とすることができる。
【００１３】
上記構成において、前記発信情報および前記応答情報の送信は赤外線を用いる構成とすることができる。この構成によれば、赤外線は直進性が強く伝搬範囲が狭いため、近くの解錠部が誤動作することを抑制することができる。
【発明の効果】
【００１４】
本発明によれば、不正な解錠を抑制することが可能な解錠装置を提供することができる。
【発明を実施するための最良の形態】
【００１５】
以下、図面を用い本発明の実施例を説明する。
【実施例１】
【００１６】
図１（ａ）は弾球遊技機（パチンコ）の枠に設けられた解錠部１０の正面図、図１（ｂ）は側面図、図１（ｃ）が背面図である。図１（ａ）を参照に、実施例１の解錠部１０のフロントパネル４２の正面には、機械的な鍵１４を挿入する鍵穴２１を有するシリンダ２２、赤外線が出射および入射するレンズ２６、および電子制御部２０が設けられている。図１（ｂ）を参照に、電子制御部２０には赤外線送受信部２４が設けられている。電子制御部２０からソレノイド３０に駆動信号を伝送するケーブル２８が接続している。ソレノイド３０は駆動信号により押棒３１を上下させる。押棒３１にはロックレバー３２が当接する。ロックレバー３２は支点３５を支点に回転する。ロックレバー３２の他端にはロックピン３４が設けられている。図１（ｂ）および図１（ｃ）を参照に、ロックピン３４はシリンダ先端に固定されたカム３６の孔に挿入されている。カム３６はドアロック３８を駆動する。一方専用キー１１には電子鍵部１２と機械的な鍵１４が設けられている。ソレノイド３０が駆動しない状態では、カム３６のピン受け部３７にピン３４が挿入されているため、機械的な鍵１４を回してもカム３６は回転しない。よって、扉を開けることはできない。
【００１７】
図２は専用キ−１１の電子鍵部１２および電子制御部２０の内部を透視して示した図である。機械的な鍵１４が鍵穴２１に挿入された状態で、電子鍵部１２のレンズ１６と電子制御部２０のレンズ２６とが対向するように設けられている。電子鍵部１２のプリント基板６０には赤外線を出射するＬＥＤ（Light Emitting Diode）６４と赤外線を検知する受光素子６２とが設けられている。電子制御部２０のプリント基板５０には赤外線を出射するＬＥＤ５４と赤外線を検知する受光素子５２とが設けられている。レンズ１６およびレンズ２６は、ＬＥＤ６４を出射した赤外線が受光素子５２に入射し、ＬＥＤ５４を出射した赤外線が受光素子６２に入射するように設けられている。また、散乱光が電子鍵部１２および電子制御部２０に入射することを抑制するフィルタとしても機能する。
【００１８】
図３は電子鍵部１２および解錠部１０のブロック図である。電子鍵部１２は、ＬＥＤ６４、受光素子６２以外に、ＣＰＵ（中央演算装置）６８、Ｉ／Ｆ（インターフェース）回路６６、不揮発性メモリ７０およびボタン電池７２を有している。ＣＰＵ６８はＩ／Ｆ回路６６を制御し、ＬＥＤ６４から信号を送信させ、受光素子６２に信号を受信させる。また、不揮発性メモリ７０（例えば、フラッシュメモリ）にデータを記憶および読み出しさせる。ボタン電池７２は、これらに電源を供給する。
【００１９】
解錠部１０の電子制御部２０はＬＥＤ５４、受光素子５２以外に、ＣＰＵ５８、Ｉ／Ｆ回路５６、７８、ソレノイド駆動回路７６を有している。ＣＰＵ５８は、Ｉ／Ｆ回路５６を制御し、ＬＥＤ５４から信号を送信させ、受光素子５２に信号を受信させる。また、ソレノイド駆動回路７６にソレノイド３０に電流を流し押棒を駆動させる。さらに、Ｉ／Ｆ回路７８にパチンコ本体５８と情報の送受信をさせる。さらに、不揮発性メモリ７５（例えば、フラッシュメモリ）にデータを記憶および読み出しさせる。パチンコ本体５８からは、ソレノイド駆動回路７６用に例えばＤＣ２４Ｖ、ＣＰＵ５８他の回路に例えばＤＣ５Ｖが供給される。
【００２０】
次に実施例１に係る解錠部１０の動作について説明する。図４は電子鍵部１２の不揮発性メモリ７０および電子制御部２０の不揮発性メモリ７５に記憶されているコード表を示す図である。コード表には、アドレス１から２９に対応する発信ＩＤ（発信情報）と発信ＩＤに対応した応答ＩＤ（応答情報）が記載されている。実施例１の例ではアドレスは２９まで、発信ＩＤおよび応答ＩＤは１６進数で２桁（つまり４バイト）であるが、アドレス数、発信ＩＤおよび応答ＩＤの大きさは任意に設計可能である。図５（ａ）から図５（ｃ）はそれぞれ１回目の解錠から３回目の解錠で用いるアドレス、発信ＩＤ、応答ＩＤを示している。
【００２１】
図６は電子鍵部１２が行う制御フロー、図７は電子制御部２０が行う制御フローを示すフローチャートである。図８は電子鍵部１２と電子制御部２０との信号の送受信を示す図である。図７を参照に、電子制御部２０のＬＥＤ５４は通信開始コマンドを送信する（ステップＳ３０）。ＣＰＵ５８は、受光素子５２が発信ＩＤを受信したか判断する（ステップＳ３２）。発信ＩＤを受信しなければ、スッテプＳ３０に戻る。このようにして、電子制御部２０は定期的にＬＥＤ５４から通信開始コマンドを送信している。図６を参照に、電子鍵部１２のＣＰＵ６８は受光素子６２が通信開始コマンドを受信するまで待機する（ステップＳ１０）。図６および図８を参照に、機械的な鍵１４が鍵穴２１に挿入されると、受光素子６２はＬＥＤ５４が出射した通信開始コマンドを受信する。図６を参照に、ＣＰＵ６８は不揮発性メモリ７０より発信ＩＤのアドレスを取得する（ステップＳ１２）。図５（ａ）を参照に、発信ＩＤのアドレスが“１”である場合を説明する。図６および図８を参照に、電子鍵部１２のＬＥＤ６４は電子制御部２０の受光素子５２に対しアドレス“１”に対応する発信ＩＤ“ＦＦ”を送信する。
【００２２】
図７を参照に、電子制御部２０のＣＰＵ５８は発信ＩＤを受信したかを判断する（ステップＳ３２）。ＣＰＵ５８は、発信ＩＤを受信すると、図８のコード表に発信ＩＤに対応する応答ＩＤがあるかを判断する（ステップＳ３４）。図８を参照に、発信ＩＤ“ＦＦ”には応答ＩＤ“２２”が対応する。図７および図８を参照に、電子制御部２０のＬＥＤ５４は電子鍵部１２の受光素子６２に対し応答ＩＤ“２２”を送信する（ステップＳ３６）
【００２３】
図６を参照に、電子鍵部１２のＣＰＵ６８は応答ＩＤを受信したか判断する（ステップＳ１６）。応答ＩＤを受信していなければ、ＣＰＵ５８はタイムアップかを判断する（ステップＳ１８）。タイムアップであれば終了する。タイムアップでなければ、応答ＩＤを受信するまで待機する。ステップＳ１６において、応答ＩＤを受信していれば、ＣＰＵ６８は応答ＩＤが図４のコード表と一致するかを判断する（ステップＳ２０）。図４を参照に、発信ＩＤ“ＦＦ”に対応する応答ＩＤは“２２”である。受光素子６２が受信した応答ＩＤは“２２”である。よって、ステップＳ２２に進む、ＣＰＵ６８は最後のアドレスか判断する（ステップＳ２２）。最後のアドレスでない場合、アドレスインクシメントし（ステップＳ２４）、ステップＳ１４に戻る。図６および図８を参照に、次のアドレス“２”の発信ＩＤ“７０”を送信する。ステップＳ２０において、Ｎｏの場合、例えば図９（ａ）を参照に、受光素子６２が受信した応答ＩＤは“２３”である。この場合、受信した応答ＩＤがコード表の応答ＩＤと一致しない。よって、ＩＤ異常であり、図６のステップＳ２０のように終了する。
【００２４】
図７を参照に、電子制御部２０のＣＰＵ５８は受光素子５２が解除コマンドを受信したか判断する（ステップＳ３８）。解除コマンドを受信していなければ、ＣＰＵ５８は、発信ＩＤを受信したか判断する（ステップＳ４２）。発信ＩＤを受信していなければ、ＣＰＵ５８はタイムアップかを判断する（ステップＳ４４）。タイムアップであれば終了する。タイムアップでなければ、ステップＳ３８に戻り、解除コマンドまたは受信コードの受信のため待機する。ステップＳ４２において、受信コードを受信した場合、ＣＰＵ５８は、受信した発信ＩＤがコード表の対応する発信ＩＤかを判断する（ステップＳ４３)。図４を参照に、発信ＩＤ“７０”は応答ＩＤ“２２”のアドレス“１”の次のアドレス“２”の発信ＩＤである。よって、受信した発信ＩＤがコード表の対応する発信ＩＤであり、ステップＳ３６に戻る。ステップＳ３６において、次のアドレス“２”の応答ＩＤ“６７”を送信する。ステップＳ４３において、Ｎｏの場合、例えば図９（ｂ）を参照に、受光素子５２が受信した応答ＩＤは“ＦＦ”である。この場合、受信した応答ＩＤがコード表の応答ＩＤと一致しない。よって、ＩＤ異常であり、図７のステップＳ４３のように終了する。図５（ａ）および図８の例では、発信ＩＤおよび応答ＩＤの送受信および確認を５回繰り返す。
【００２５】
図６および図８を参照に、ステップＳ２２において、最後のアドレスの場合、図５（ａ）を参照にアドレス“５”の場合、電子鍵部１２のＣＰＵ６８はＬＥＤ５４に解除コマンドを送信させる（ステップＳ２６）。図７を参照に、ステップＳ３８において、電子制御部２０のＣＰＵ５８が受光素子５２が解除コマンドを受信したと判断した場合、ＣＰＵ５８はソレノイド駆動回路７６にソレノイド３０を駆動させる（ステップＳ４０）
【００２６】
図１０（ａ）から図１０（ｃ）を参照に、ソレノイド３０が押棒３１が押し出すと、押棒３１はＬ字のロックレバー３２の一端を押し下げる。ロックレバー３２の角部は支点３５になっており、ロックレバー３２の他端がフロントパネル４２側に傾斜する。ロックレバー３２の他端に接続されたピン３４がカム３６のピン受け部３７から抜ける。
【００２７】
図１１（ａ）から図１１（ｃ）を参照に、専用キー１１の機械的な鍵１４を回すと、カム３６が回転し、ドアロック３８を押し上げ、パチンコ機本体ステー４０が可動となる。よって、扉を開放することができる。電子制御部２０のソレノイド駆動回路７６がソレノイド３０の駆動を停止すると、押棒３１は収納される。ロックレバー３２はバネ３３により元の位置に戻り、カム３６のピン受け部３７にピン３４が戻る。
【００２８】
図６を参照に、ＣＰＵ６８は、次のアドレス“６”を不揮発性メモリ７０に記憶する。次に電子鍵部を使用する際は、不揮発性メモリ７０に記憶されたアドレス“６”を用いる。以上のように、実施例１に係る解錠装置は動作する。
【００２９】
実施例１においては、図６のステップＳ１４のように電子鍵部１２が解錠部１０の電子制御部２０に発信ＩＤ（発信情報）を送信する。図７のステップＳ３２およびＳ４２のように、解錠部１０の電子制御部２０は、発信ＩＤを受信する。図７のステップＳ３６のように、発信ＩＤに対応する応答ＩＤ（応答情報）を電子鍵部１２に送信する。図６のステップＳ１６のように、電子鍵部１２は、応答ＩＤを受信する。そして、ステップＳ２０のように、受信した応答ＩＤと送信した発信コードに対応する応答ＩＤとが一致した場合、図７のステップＳ４０、図１０および図１１のように、解錠部１０は機械的な鍵を用いた解錠を可能とする。遊技機の枠扉は高いセキュリティを要求される。実施例１においては電子的なコードが一致した場合に機械的な解錠を可能とする。よって、より高セキュリィティな解錠装置を提供することができる。実施例１によれば、受信した応答ＩＤと送信した発信コードに対応する応答ＩＤとが一致した場合でなければ、機械的な鍵１４を用いた解錠が可能とならない。よって、遊戯機本体の電源が遮断されている状態では機械的に解錠することはできない。例えば、遊技場では夜間は遊戯機本体の電源は遮断されており、このとき遊技機が開けられ不正行為が行われることを抑制することができる。
【００３０】
コード表は発信ＩＤと発信ＩＤに対応する応答ＩＤとが関連付けられていれば図８のコード表には限られない。また、実施例１は電子鍵部１２が発信ＩＤを送信し、解錠部１０が応答ＩＤを送信する例であるが、解錠部１０が発信ＩＤを送信し、電子鍵部１２が応答ＩＤを送信してもよい。この場合、電子鍵部１２は解錠コードを送信しなくともよい。しかし、電子鍵部１２が通信開始コマンドを定期的に発信することとなる。このため、電子鍵部１２の電源がボタン電池７２のように電源容量が小さい場合、ボタン電池７２の寿命が短くなってしまう。よって、電子鍵部１２が発信ＩＤを送信し、解錠部１０が応答ＩＤを発信することが好ましい。電子鍵部１２が発信ＩＤを送信し解錠部１０が応答ＩＤを発信する構成においては、図６のステップＳ２０のように、電子鍵部１２は、受信した応答ＩＤと送信した発信ＩＤに対応する応答ＩＤとが一致した場合、ステップＳ２６のように解錠部１０に解錠コード（解錠信号）を送信する。図７のステップＳ３８のように、解錠部１０は、解錠コードに基づき、ステップＳ４０のように、解錠可能とすることが好ましい。これにより、電子鍵部１２が受信した応答ＩＤに対応し、解錠部１０が解錠可能とすることができる。
【００３１】
図６のステップＳ２８のように、ＣＰＵ６８は、解錠部１０が解錠可能とした場合、コード表のうち機械的な解錠を可能とした際の発信ＩＤ“１２”のアドレス“５”次のアドレス“６”を次に解錠する際に使用する発信コードに関する情報（記憶情報）として不揮発性メモリ７０（記憶部）に記憶する。図５（ｂ）および図６のステップＳ１２およびＳ１４のように、電子鍵部１２は、次に解錠する際は不揮発性メモリ７０に記憶したアドレス“６”に対応した発信ＩＤ“２７”を送信する。これにより、次に解錠する場合、異なる発信ＩＤを用いるため、発信ＩＤを読み取られらとしても不正が行われることを抑制することができる。また、特許文献１のようなコードを変更するための作業も必要ない。さらに、例えば遊技場においては、多くの遊技機を有しているため、同じ鍵を用いて多数の遊技機の枠扉を開けることとなる。その際も実施例１によれば、発信ＩＤが毎回異なるためより高セキュリティを実現することができる。なお、不揮発性メモリ７０に記憶する記憶情報は、次に解錠する際に使用する発信ＩＤに関する情報であればよい。例えば、現在のアドレス“５”を記憶し、次回はアドレス“５”の次のアドレス“６”の発信ＩＤを用いることもできる。現在のアドレス以外のアドレスをランダムに記憶し、次のアドレスとすることもできる。
【００３２】
また、図１０（ａ）から図１１（ｃ）において、解錠部１０は機械的な鍵１４を用いた解錠を可能としなくとも、例えばカムに接続された取っ手を回転することにより解錠可能とする等、他の手段を用い解錠を可能としてもよい。しかしながら、電子的なコードが一致し、かつ機械的な鍵により解錠することにより、高セキュリティな解錠装置を提供することができる。図５（ａ）から図５（ｃ）および図８のように、発信ＩＤと応答ＩＤとの送受信は５回であったが、少なくとも１回の送受信が行われればよく、発信ＩＤと応答ＩＤとの送受信回数は任意の回数とすることができる。発信ＩＤおよび応答ＩＤの送受信は非接触な通信手段であればよく、例えば、微弱電波や音波等を用いることもできる。しかしながら、近くの遊技機の誤動作を抑制するためには、直進性が強く伝搬範囲が限定的な赤外線が好ましい。
【００３３】
専用キー１１のように、電子鍵部１２は機械的な鍵１４とは一体に形成されていることが好ましい。これにより、電子鍵部１２と機械的な鍵１４とを個々に管理する必要がない。また、機械的な鍵１４を鍵穴２１に挿入した状態、つまり機械的に解錠するために機械的な鍵１４を解錠部１０に配置した状態において、電子鍵部１２のレンズ１６（発信ＩＤまたは応答ＩＤを送受信する送受信部）と電子制御部２０のレンズ２６（発信ＩＤまたは応答ＩＤを送受信する送受信部）とが対向する配置とすることが好ましい。これにより、操作者は電子的なコードの送受信を意識することなく解錠することができる。ＬＥＤ６４、受光素子６２並びにＬＥＤ５４、受光素子５２はそれぞれ複数設けることもできる。例えば、電子鍵部１２の両側に設けることもできる。
【実施例２】
【００３４】
実施例２は電子鍵部１２と機械的な鍵１４とが分離している例である。図１２を参照に、電子鍵部１２ａを有する専用キ−１１ｂと機械的な鍵１４を有する専用キー１１ａとは物理的に分離している。その結果、電子制御部２０ａはシリンダ２２とは離れて設けられている。その他の構成は実施例１と同じであり説明を省略する。実施例２のように、電子鍵部１２と機械的に解錠するための機械的な鍵１４とは分離していてもよい。
【００３５】
実施例１および実施例２は遊技機として弾球遊技機（パチンコ）の枠扉の解錠装置を例に説明したが、パチンコ以外の遊技機にも用いることができる。また、高セキュリティが要求される遊技機以外の用途の解錠装置に本発明を用いることもできる。
【００３６】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３７】
【図１】図１（ａ）は実施例１に係る解錠装置の正面図、図１（ｂ）は側面図、図１（ｃ）は背面図である。
【図２】図２は実施例１に係る解錠装置の電子鍵部および電子制御部の拡大図である。
【図３】図３は実施例１に係る解錠装置のブロック図である。
【図４】図４は実施例１のコード表を示す図である。
【図５】図５（ａ）から図５（ｃ）は、一回目から三回目に用いる発信ＩＤおよび応答ＩＤを示す図である。
【図６】図６は電子鍵部の動作を示すフローチャートである。
【図７】図７は電子制御部の動作を示すフローチャートである。
【図８】図８は電子鍵部と電子制御部との間の送受信を示す図である。
【図９】図９（ａ）および図９（ｂ）は電子鍵部と電子制御部との間の送受信が失敗した例を示す図である。
【図１０】図１０（ａ）は解錠装置が解錠する動作を示す正面図、図１０（ｂ）は側面図、図１０（ｃ）は背面図（その１）である。
【図１１】図１１（ａ）は解錠装置が解錠する動作を示す正面図、図１１（ｂ）は側面図、図１１（ｃ）は背面図（その２）である。
【図１２】図１２は実施例２に係る解錠装置の側面図である。
【符号の説明】
【００３８】
１０            解錠部
１２            電子鍵部
１４            機械的な鍵
１６、２６      レンズ
２０            電子制御部
２１            鍵穴
２２            シリンダ
２４            赤外線送受信装置
７０            不揮発性メモリ
【図１】
2008100014.tif 000003
【図２】
2008100014.tif 000004
【図３】
2008100014.tif 000005
【図４】
2008100014.tif 000006
【図５】
2008100014.tif 000007
【図６】
2008100014.tif 000008
【図７】
2008100014.tif 000009
【図８】
2008100014.tif 000010
【図９】
2008100014.tif 000011
【図１０】
2008100014.tif 000012
【図１１】
2008100014.tif 000013
【図１２】
2008100014.tif 000014